(57)【要約】【課題】簡単な施工で長期間安定して窓額縁に内窓枠を固定させることができると共に、室内のインテリアデザインを損なうことがなく、内窓周辺の空間を有効活用することができる内窓と収納とが一体化した内窓収納ユニットを提供する。【解決手段】本発明の内窓収納ユニット１０は、建物開口部Ｏにおける外窓ｗ１の窓額縁Ｘの内面に固定される内窓枠１６を有する内窓１２と、前記内窓枠１６下の壁面Ｗに設置され、その上部が前記内窓枠１６の下面に連結してこれを下から支持すると共に、その下部が床面Ｇに当接して自立し、その内部にて物を収納する収納本体１４とで構成されていることを特徴とする。【選択図】図１
2013019160.tif 000002
【特許請求の範囲】
【請求項１】
建物開口部における外窓の窓額縁の内面に固定される内窓枠を有する内窓と、
前記内窓枠下の壁面に設置され、その上部が前記内窓枠の下面に当接して前記内窓枠を下から支持すると共に、その下部が床面に当接して自立し、その内部にて物を収納する収納本体とで構成されていることを特徴とする内窓収納ユニット。
【請求項２】
前記収納本体の下部に、前記収納本体と床面との間に生じる不陸を解消する高さ調節機構が設けられていることを特徴とする請求項１に記載の内窓収納ユニット。
【請求項３】
前記収納本体が、壁面に当接するように設置されて上端部が内窓枠に連結される背面板と、前記背面板の巾方向両端部に連結される左右一対の側板と、前記背面板の表面から前方に向けて水平に延設された棚板と、前記背面板の上部前方の位置にて左右の側面板の前方端間に架設された前面板と、前記前面板の裏面側に取り付けられ、建物開口部から採光した光を前記背面板の下部側へと導光する反射部材とで構成されていることを特徴とする請求項１又は２に記載の内窓収納ユニット。
【請求項４】
前記収納本体が、収納部と折り畳みベンチとで構成されており、これらが巾方向左右に並設されると共に、前記収納部には、前記折り畳みベンチに対面し奥行き方向に沿う面に物品の出し入れを行なう開口が設けられており、前記折り畳みベンチは、起倒可能に設けられ、起立時に前記収納部の開口を閉塞し、倒伏時に前記収納部の開口を開放することを特徴とする請求項１又は２に記載の内窓収納ユニット。
【発明の詳細な説明】
【技術分野】
【０００１】
本発明は、建物開口部において外窓の内側に設けられる内窓と収納とが一体化した内窓収納ユニットに関する。
【背景技術】
【０００２】
建物開口部において既存の窓(外窓)の内側に設けられる内窓は、建物開口部を断熱性や気密性に優れた二重構造にすることができ、夏の暑さや冬の寒さを緩和し、且つ結露の発生を防止するのに加え、外部の騒音等も緩和させることができる。このため、近年、リフォームなどの際にこの内窓が広く採用されるようになってきている。
【０００３】
ここで、この内窓は、既存の窓の窓額縁(化粧枠)に、レールなどが一体化された内窓ユニットを固定するだけで簡単に短時間で施工することができるが、設置場所として窓額縁に奥行き７０ｍｍ程度の余裕が必要である。そして、窓額縁にこのような余裕がない場合には、窓額縁に「ふかし枠」を追加で固定し、これに内窓ユニットを施工する必要がある（例えば、特許文献１又は２参照。）。
【０００４】
ところで、建物開口部に内窓を設けて断熱性や防音性を高めるためには、内窓と外窓との間に形成される空間、すなわち「中間空気層」を大きくする必要がある。係る中間空気層の拡大を図るためには、上述した「ふかし枠」や造作材などからなる「内窓枠」を用いて内窓を室内側に大きく張り出させる必要が有るが、このように内窓を室内側に大きく張り出させると、張り出した部分が邪魔になって内窓周辺の空間を有効に活用することが難しくなると同時に、室内のインテリアデザインが損なわれるようになると云った問題が生じ得る。なお、張り出した内窓周辺に収納を設置すれば、内窓周辺の空間を有効に活用することもできるが、内窓とは別に収納を設けた場合、室内のインテリアデザインを損なわないように収納を選ぶのは、非常に手間のかかる作業となる。
【０００５】
また、このような内窓を設置する上で、特に大きな問題となるのは、内窓が室内側に大きく張り出すように施工した場合、内窓枠に対して窓額縁から離脱・落下する方向に応力(荷重)が掛かるようになる。そうすると、係る状態で内窓を施工して長期間経つと、窓額縁に対する内窓枠の固定が甘い場合には、内窓枠が窓額縁から離脱して落下するようになる虞がある。したがって、内窓が室内側に大きく張り出すように施工する場合には、窓額縁に対して内窓枠を非常に強固に固定する必要があるため、内窓の施工に多大な手間とコストが掛かるようになると云う問題があった。
【先行技術文献】
【特許文献】
【０００６】
【特許文献１】特開２００８−３１６６９号公報
【特許文献２】特開２０１０−２４２４６７号公報
【発明の概要】
【発明が解決しようとする課題】
【０００７】
それゆえに本発明の主たる課題は、簡単な施工で長期間安定して窓額縁に内窓枠を固定させることができると共に、内窓枠が室内側に大きく張り出すような場合であっても室内のインテリアデザインを損なうことがなく、内窓周辺の空間を有効活用することができる内窓と収納とが一体化した内窓収納ユニットを提供することである。
【課題を解決するための手段】
【０００８】
本発明における第１の発明は、
（ａ）建物開口部Ｏにおける外窓ｗ１の窓額縁Ｘの内面に固定される内窓枠１６を有する内窓１２と、
（ｂ）前記内窓枠１６下の壁面Ｗに沿って設置され、その上部が前記内窓枠１６の下面に当接して前記内窓枠１６を下から支持すると共に、その下部が床面Ｇに当接して自立し、その内部にて物を収納する収納本体１４とで構成されている
（ｃ）ことを特徴とする内窓収納ユニット１０、である。
【０００９】
この発明では、建物開口部Ｏの窓額縁Ｘに固定される内窓枠１６を収納本体１４が下から支持しているので、仮に窓額縁Ｘと内窓枠１６との固定が強固でなく簡単に施工されたものであったとしても、内窓枠１６が窓額縁Ｘから離脱・落下するのを長期間に亘って完全に防止することができる。また同時に、収納本体１４においては、その上部にて支持した内窓枠１６から当該収納本体１４を床面に押さえ付ける方向の応力が与えられるようになるので、収納本体１４は転倒することなく長期間安定して自立することができる。
【００１０】
また、このように内窓１２と収納本体１４とを当接させて一つのユニットとすることにより、室内のインテリアデザインが損なわれるのを防止することができる。特に、内窓枠１６と収納本体１４とを同じ質感(つまり同じ色柄など)の材料で構成することによって、当該効果をより一層顕著なものとすることができる。
【００１１】
本発明における第２の発明は、上記第１の発明の内窓収納ユニット１０において、「前記収納本体１４の下部に、前記収納本体１４と床面Ｇとの間に生じる不陸を解消する高さ調節機構２４が設けられている」ことを特徴とするもので、このような高さ調節機構２４を設けることによって、上述したような窓額縁Ｘに対する内窓枠１６の定着性と収納本体１４の自立性とをより一層向上させることができるようになる。
【００１２】
本発明における第３の発明は、上記第１又は第２の発明の内窓収納ユニット１０において、「前記収納本体１４が、壁面Ｗに当接するように設置されて上端部が内窓枠１６に連結される背面板１４ａと、前記背面板１４ａの巾方向両端部に連結される左右一対の側板１４ｂと、前記背面板１４ａの表面から前方に向けて水平に延設された棚板１４ｃと、前記背面板１４ａの上部前方の位置にて左右の側面板１４ｂの前方端間に架設された前面板１４ｄと、前記前面板１４ｄの裏面側に取り付けられ、建物開口部Ｏから採光した光Ｒを前記背面板１４ａの下部側へと導光する反射部材２２とで構成されている」ことを特徴とするもので、これにより、建物開口部Ｏから採光した光Ｒを棚板１４ｃの下側となる背面板１４ａの下部側まで導光することができ、いわゆる「窓前ガーデニング収納」として植物を植えた植木鉢Ｐやプランターなどを棚板１４ｃの上下に沢山収納することができるようになる。
【００１３】
本発明における第４の発明は、上記第１又は第２の発明の内窓収納ユニット１０において、「前記収納本体１４が、収納部３０と折り畳みベンチ３２とで構成されており、これらが巾方向左右に並設されると共に、前記収納部３０には、前記折り畳みベンチ３２に対面し奥行き方向に沿う面に物品の出し入れを行なう開口３０ａが設けられており、前記折り畳みベンチ３２は、起倒可能に設けられ、起立時に前記収納部３０の開口３０ａを閉塞し、倒伏時に前記収納部３０の開口３０ａを開放する」ことを特徴とするもので、これにより、内窓１２周辺の空間を収納として有効活用できるのに加え、当該内窓１２周辺に寛ぎの空間を設けることができるようになる。
【発明の効果】
【００１４】
本発明の内窓収納ユニットによれば、内窓枠の下に、これを支持する収納本体を取り付けると云った簡単な施工で長期間安定して窓額縁に内窓枠を固定させることができると共に、内窓枠が室内側に大きく張り出すような場合であっても室内のインテリアデザインを損なうことがなく、内窓周辺の空間を有効活用することができる内窓と収納とが一体化した内窓収納ユニットを提供することができる。
【図面の簡単な説明】
【００１５】
【図１】本発明の内窓収納ユニットの一例(第一実施例)を示す斜視図である。
【図２】図１におけるＡ−Ａ断面図である。
【図３】高さ調節機構の概略を示す参考図である。
【図４】本発明の内窓収納ユニットの一例(第二実施例；折り畳みベンチ起立状態)を示す斜視図である。
【図５】本発明の内窓収納ユニットの一例(第二実施例；折り畳みベンチ倒伏状態)を示す斜視図である。
【発明を実施するための形態】
【００１６】
以下、本発明を図示実施例に従って説明する。図１は、本発明の内窓収納ユニット１０の一例(第一実施例)を示す説明図であり、図２は、図１におけるＡ−Ａ線断面図である。これらの図が示すように、本発明の内窓収納ユニット１０は、内窓１２と、収納本体１４とで大略構成されている。なお、図１及び図２で示す第一実施例の内窓収納ユニット１０は、収納部分が謂わば窓前ガーデニング収納となっている態様のものである。
【００１７】
内窓１２は、図２で示すように、建物開口部Ｏに設けられた外窓ｗ１の周囲を取り囲む窓額縁Ｘの室内側に配置され、当該外窓ｗ１との間に、断熱効果や防音効果を発揮させるための中間空気層Ｍを形成するための窓である。
【００１８】
この内窓１２は、窓額縁Ｘに固定され、内窓本体１２ａを支持する内窓枠１６を有する。内窓枠１６は、窓額縁Ｘに固定され、内窓本体１２ａを支持できる機械的強度を有する枠体であれば如何なるものであってもよく、例えば、窓額縁Ｘにネジ止めされるアルミニウム合金製のベース部材と、このベース部材の表面を覆う合成樹脂製のカバー部材とで構成された枠体などを使用することができる。なお、本実施例の内窓収納ユニット１０では、この内窓枠１６における左右の縦枠部分のそれぞれに、植木鉢Ｐを吊持するためのハンギング植栽棚１８が上下に２つ取り付けられている。
【００１９】
収納本体１４は、内窓枠１６下の壁面Ｗに設置され、その上部が内窓枠１６の下面に当接してこれを下から支持すると共に、その下部が床面Ｇに当接して自立し、その内部にて物を収納するためのもので、背面板１４ａ、左右一対の側面板１４ｂ、棚板１４ｃ及び前面板１４ｄを有する。
【００２０】
この収納本体１４の外郭となる背面板１４ａ、左右一対の側面板１４ｂ及び前面板１４ｄを構成する各板材は、挽材、合板、木質繊維板(インシュレーションボード[ＩＢ]，中質繊維板[ＭＤＦ]，硬質繊維板[ＨＢ]等)、木削片板(パーティクルボード、ストランドボード、配向性ストランドボード[ＯＳＢ]等)、集成材及び単板積層材などを単独或いはこれらを任意複合した材料などで形成されており、その表面は、必要に応じて、化粧紙，化粧樹脂含浸紙，化粧合成樹脂シート及び化粧単板等からなる化粧材を貼着することによって、或いは着色塗装，柄模様印刷及び透明塗装などを施すことによって装飾・保護されている。
【００２１】
背面板１４ａは、壁面Ｗに当接するように設置されるもので、その上端部が内窓枠１６に連結されている。また、この背面板１４ａにおける高さ方向の所定位置には、棚板１４ｃを取り付けるための棚板受け金具２０がネジなどの固定具で固定されている。そして、この背面板１４ａの巾方向左右両端部には、それぞれ側面板１４ｂが取り付けられている。なお、側面板１４ｂは、床面Ｇに載置した植木鉢Ｐやプランターなどを取り出し易くするために、下部前面側の肉が切欠されている。
【００２２】
棚板１４ｃは、植木鉢Ｐやプランター(図示せず)などを所定の高さに載置するための板材である。本実施例の内窓収納ユニット１０では、この棚板１４ｃを上述した背面板１４ａなどと同じ板材で構成する場合には、その先端が前面板１４ｄの背面から所定の隙間だけ離間するように配置させる必要が有るが、この棚板１４をガラス板や透明アクリル板などの透明材料で構成する場合には、上述のような隙間を設ける必要はない(この理由については後述する。)。
【００２３】
前面板１４ｄは、背面板１４ａの上部と対面する位置(前面)にて左右の側面板１４ｂの前方端間に架設される板材で、その裏面側には、建物開口部Ｏから採光した光Ｒを背面板１４ａの下部側へと導光する鏡などの反射部材２２が取り付けられている。
【００２４】
以上のように構成された本実施例の内窓収納ユニット１０では、建物開口部Ｏの窓額縁Ｘに固定される内窓枠１６を収納本体１４が下から支持しているので、仮に窓額縁Ｘと内窓枠１６との固定が強固でなく簡単に施工されたものであったとしても、内窓枠１６が窓額縁Ｘから離脱・落下するのを長期間に亘って完全に防止することができる。また、これと同時に、収納本体１４においては、その上部にて支持した内窓枠１６から当該収納本体１４を床面に押さえ付ける方向の応力が与えられるようになるので、収納本体１４は転倒することなく安定的に自立することができる。
【００２５】
また、このように内窓１２と収納本体１４とを連結して一つのユニットとすることにより、室内のインテリアデザインが損なわれるのを防止することができ、特に、内窓枠１６と収納本体１４とを同じ質感(つまり同じ色柄など)の材料で構成することによって、当該効果をより一層顕著なものとすることができる。
【００２６】
さらに、棚板１４ｃの先端が前面板１４ｄの背面から所定の隙間だけ離間するように配置されるか、或いはこの棚板１４ｃが透明材料で形成されていることから、前面板１４ｄの裏面側に取り付けた反射部材２２が、建物開口部Ｏから採光した光Ｒを棚板１４ｃの下側となる背面板の下部側まで導光するようになっている。このため、いわゆる「窓前ガーデニング収納」として植物を植えた植木鉢Ｐやプランターなどを棚板１４ｃの上下に沢山収納することができるようになる。
【００２７】
なお、上述の実施例では、収容本体１４を直接床面Ｇに載置する場合を示したが、図３に示すように、収容本体１４の下部に、収納本体１４と床面Ｇとの間に生じる不陸を解消する高さ調節機構２４を設けるようにしてもよい。
【００２８】
ここで、図３(ａ)で示す高さ調節機構２４は、高さ調整ボルト２４ａと、該高さ調整ボルト２４ａが螺入可能な高さ調整ナット２４ｂとで構成されたものであり、図３(ｂ)で示す高さ調節機構２４は、側面板１４ｂに設けられた調整口２４ｃから側面板１４ｂの内部に埋め込んだ調整機構(図示せず)を操作して、調整ボルト２４ｄの先端に取り付けた昇降部材２４ｅを上下移動させるものであるが、高さ調節機構２４は、これらの例に限定されるものではない。
【００２９】
そして、このような高さ調節機構２４を設けることによって、上述したような窓額縁Ｘに対する内窓枠１６の定着性と収納本体１４の自立性とをより一層向上させることができるようになる。
【００３０】
次に、図４及び図５に示す第二実施例の内窓収納ユニット１０について説明する。上述した第一実施例と異なる部分は、収納本体１４がいわゆる「窓前ガーデニング収納」ではなく、収納部３０と折り畳みベンチ３２とで構成された、いわゆる「窓前ベンチ収納」となっている点である。なお、これら以外の部分は前記第一実施例と同じであるので、前記第一実施例の説明を援用して本実施例の説明に代える。
【００３１】
収納本体１４は、背面板１４ａの下端部から前方に向けて突出し、側面板１４ｂ及び略Ｌ字状に形成された前面板１４ｄの水平片１４ｄ２で囲まれた矩形のベース部材１４ｚの上に、収納部３０と折り畳みベンチ３２とを巾方向左右に並設して構成されている。
【００３２】
収納部３０は、背面板１４ａ、一方の側面板１４ｂ、略Ｌ字状に形成された前面板１４ｄの垂直片１４ｄ１及び天板１４ｅで囲まれて構成されており、折り畳みベンチ３２に対面し奥行き方向に沿う面に物品の出し入れを行なう開口３０ａが設けられている(図５参照)。
【００３３】
折り畳みベンチ３２は、ベース部材１４ｚ上に図示しないヒンジを介して起倒可能に設けられており、起立時に収納部３０の開口３０ａを閉塞し、倒伏時に収納部３０の開口３０ａを開放するように構成されている。また、図４に示すように、折り畳みベンチ３２を起立させた際には、この折り畳みベンチ３２の背面３２ａ、前側面３２ｂ及び横側面３２ｃが、それぞれ前面板１４ｄ、天板１４ｅ及び側面板１４ｂと面一になって、当該折り畳みベンチ３２を出っ張りなく収納することができるようになっている。
【００３４】
以上のように構成された本実施例の内窓収納ユニット１０によれば、内窓１２周辺の空間を収納として有効活用できるのに加え、当該内窓１２周辺に寛ぎの空間を設けることができるようになる。
【００３５】
なお、上述の各実施例では、収納本体１４が「窓前ガーデニング収納」及び「窓前ベンチ収納」の場合を示したが、この収納本体１４は、内窓枠１６下の壁面Ｗに沿って設置され、その上部が前記内窓枠１６の下面に当接してこれを下から支持すると共に、その下部が床面Ｇに当接して自立する収納であれば、上記のものに限定されるものではなく、その他にも、例えば、(図示しないが)窓際の日当たりを利用して、内窓枠にソーラーパネルを固定した収納棚やペットの遊具等を設けたもの等であってもよい。つまり、本発明の内窓収納ユニット１０では、収納本体１４として様々な用途のものを利用することができる。
【符号の説明】
【００３６】
１０…内窓収納ユニット
１２…内窓
１２ａ…内窓本体
１４…収納本体
１４ａ…背面板
１４ｂ…側面板
１４ｃ…棚板
１４ｄ…前面版
１４ｅ…天板
１４ｚ…ベース部材
１６…内窓枠
１８…ハンギング植栽棚
２０…棚板受け金具
２２…反射部材
２４…高さ調節機構
３０…収納部
３０ａ…開口
Ｏ…建物開口部
ｗ１…外窓
Ｘ…窓額縁
Ｗ…壁面
Ｇ…床面
Ｐ…植木鉢
Ｒ…光
【図１】
2013019160.tif 000003
【図２】
2013019160.tif 000004
【図３】
2013019160.tif 000005
【図４】
2013019160.tif 000006
【図５】
2013019160.tif 000007